(57)【要約】【課題】扉を完全に閉鎖しないようにするとともに、開放度合いを調節できる扉に後付けされる扉用後付閉鎖防止アタッチメントを提供する。【解決手段】扉の一方の面に当接する保護材を一方の板の内側に備え、前記扉に着脱可能に嵌るコの字型枠と、前記コの字型枠の他方の板に回転可能に係止されるガイドと、前記ガイドを位置固定する固定具と、前記ガイドの端部に回動可能に取り付けられるとともに留具で固定されるプレート、及び端部に枠側面の当接部に当接する戸あたりとを備え、前記扉の完全閉鎖を防ぎ開口させるストッパーと、からなることを特徴とする扉用後付閉鎖防止アタッチメントとした。【選択図】図１
2016098585.tif 000002
【特許請求の範囲】
【請求項１】
扉の一方の面に当接する保護材を一方の板の内側に備え、前記扉に着脱可能に嵌るコの字型枠と、
前記コの字型枠の他方の板に回転可能に係止されるガイドと、
前記ガイドを位置固定する固定具と、
前記ガイドの端部に回動可能に取り付けられるとともに留具で固定されるプレート、及び端部に枠側面の当接部に当接する戸あたりを備え、前記扉の完全閉鎖を防ぎ開口させるストッパーと、
からなることを特徴とする
扉用後付閉鎖防止アタッチメント。
【請求項２】
前記ガイドに開口部が穿設され、前記留具が前記開口部に挿通するとともに前記開口部内を位置移動させることが可能で、前記留具をスライドさせることで、前記ストッパーが前記留具とともにスライド可能としたことを特徴とする請求項１に記載の扉用後付閉鎖防止アタッチメント。
【請求項３】
前記ストッパーの不使用時には、前記ストッパーを回転させつつ前記開口部をスライドさせ、さらに前記ガイドを回転させ、前記当接部に当たらないよう前記ストッパーを退避可能にしたことを特徴とする請求項２に記載の扉用後付閉鎖防止アタッチメント。
【請求項４】
前記固定具が、前記他方の板に穿設されたネジ穴に螺合するネジ軸、前記ネジ軸の端部に前記扉に接触する当接部材、及び前記ネジ軸の他端に前記ネジ軸を回転させるために把持するツマミ、前記ネジ軸に螺合する蝶ナットを備え、前記コの字型枠を前記扉に位置固定させるとともに前記ガイドを前記コの字型枠に前記蝶ナットで押し付け位置固定することを特徴とする請求項１〜請求項３の何れか１項に記載の扉用後付閉鎖防止アタッチメント。
【請求項５】
コの字型枠の他方の板の下部に、前記ストッパー側の前記ガイドの端が下向に回転することを制限する係止部材を備えることを特徴とする請求項１〜請求項４の何れか１項に記載の扉用後付閉鎖防止アタッチメント。
【請求項６】
コの字型枠の他方の板の下方に溝が穿設され、前記係止部材が、前記溝を左右スライド可能に取り付けられ、前記扉と逆向きに開閉する逆扉の場合には、前記コの字型枠を上下逆に前記逆扉に固定し、前記係止部材を前記扉の場合と反対端にスライドさせ、前記係止部材が、前記ストッパーと逆側の前記ガイドの端が上向きに回転することを制限することを特徴とする請求項５に記載の扉用後付閉鎖防止アタッチメント。
【請求項７】
前記保護材が、前記扉への当接側の一方の板の内側のみならず、端部で折り返され、前記一方の板の外側にも貼付される一枚の弾性体であることを特徴とする請求項１〜請求項６の何れか１項に記載の扉用後付閉鎖防止アタッチメント。
【請求項８】
前記戸あたりに磁石が埋設され、枠の当接部に磁石が埋設され、前記戸あたりと前記当接部が磁着して、扉の開口度合いを維持することを特徴とする請求項１〜請求項７の何れか１項に記載の扉用後付閉鎖防止アタッチメント。
【請求項９】
前記プレートが、伸縮自在で、前記扉の開口度合いを調節可能としたことを特徴とする請求項１〜請求項８の何れか１項に記載の扉用後付閉鎖防止アタッチメント。
【請求項１０】
扉の一方の面に当接する保護材を一方の板の内側に備え、前記扉に着脱可能に嵌るコの字型枠と、
前記コの字型枠の他方の板に回転可能に係止されるガイドと、
前記ガイドを位置固定する固定具と、
前記ガイドの端部に回動可能に取り付けられるとともに留具で固定されるプレート、及び前記プレート側面で枠に当接する部分に保護部材を備えるストッパーと、
からなり、
引き戸に嵌められ、前記保護部材が前記引き戸の枠に当接して、前記引き戸の完全閉鎖を防止することを特徴とする扉用後付閉鎖防止アタッチメント。
【請求項１１】
扉の一方の面に当接する保護材を一方の板の内側に備え、前記扉に着脱可能に嵌るコの字型枠と、
前記コの字型枠の他方の板に回転可能に係止されるガイドと、
前記ガイドを位置固定する固定具と、
前記ガイドの端部に回動可能に取り付けられるとともに留具で固定されるプレート、及び端部に枠側面の当接部に当接する戸あたりを備え、前記扉の完全閉鎖を防ぎ開口させるストッパーと、
からなり、
さらに、前記プレート側面で枠に当接する部分に保護材を備え、引き戸に嵌められ、前記保護部材が前記引き戸の枠に当接して、前記引き戸の完全閉鎖をも防止することを特徴とする扉用後付閉鎖防止アタッチメント。
【発明の詳細な説明】
【技術分野】
【０００１】
本発明は、開閉式のドア或いは引き戸（以下、単に「扉」ともいう）を完全に閉鎖しないようにする扉に後付けされる扉用後付閉鎖防止アタッチメントに関する。
【背景技術】
【０００２】
扉の閉鎖防止として、例えば、特許文献１などが公開されている。特許文献１の発明は、ドアの閉鎖時にドア枠との間に一時的にゴム等の弾性体を挟むことによって、強風時、マンション等の高層階における突風による突然のドアの閉鎖、それによるドアの損傷、指詰め等を防止するため、ドア１の開放と同時に突部３を突出させ、ドア１の閉鎖時にドア枠２との間に突部３を一時的に挟み、突部３を徐々に後退させてドア１を緩やかに閉鎖するドアの指詰め防止装置であって、突部３を進退可能に保持する本体５と、突部を突出方向へ付勢するコイルバネ６と、本体５を固定するコの字部材７を有してなるというものである。
【０００３】
しかしながら、特許文献１の発明では、急激な閉鎖動作を防止することはできても、ドアを少し開けたままに維持することはできないため、ドアと枠との間に指を挟むこと、またペットが自由に往来できるスペースを確保することができない。
【先行技術文献】
【特許文献】
【０００４】
【特許文献１】特開２００２−１８８３５６号公報
【発明の概要】
【発明が解決しようとする課題】
【０００５】
そこで、本発明は、扉を完全に閉鎖しないようにするとともに、開放度合いを調節できる、扉に後付けされる扉用後付閉鎖防止アタッチメントを提供することを目的とする。
【課題を解決するための手段】
【０００６】
本発明は、上記課題を解決するため、
（１）
扉の一方の面に当接する保護材を一方の板の内側に備え、前記扉に着脱可能に嵌るコの字型枠と、
前記コの字型枠の他方の板に回転可能に係止されるガイドと、
前記ガイドを位置固定する固定具と、
前記ガイドの端部に回動可能に取り付けられるとともに留具で固定されるプレート、及び端部に枠側面の当接部に当接する戸あたりを備え、前記扉の完全閉鎖を防ぎ開口させるストッパーと、
からなることを特徴とする
扉用後付閉鎖防止アタッチメント。
（２）
前記ガイドに開口部が穿設され、前記留具が前記開口部に挿通するとともに前記開口部内を位置移動させることが可能で、前記留具をスライドさせることで、前記ストッパーが前記留具とともにスライド可能としたことを特徴とする（１）に記載の扉用後付閉鎖防止アタッチメント。
（３）
前記ストッパーの不使用時には、前記ストッパーを回転させつつ前記開口部をスライドさせ、さらに前記ガイドを回転させ、前記当接部に当たらないよう前記ストッパーを退避可能にしたことを特徴とする（２）に記載の扉用後付閉鎖防止アタッチメント。
（４）
前記固定具が、前記他方の板に穿設されたネジ穴に螺合するネジ軸、前記ネジ軸の端部に前記扉に接触する当接部材、及び前記ネジ軸の他端に前記ネジ軸を回転させるために把持するツマミ、前記ネジ軸に螺合する蝶ナットを備え、前記コの字型枠を前記扉に位置固定させるとともに前記ガイドを前記コの字型枠に前記蝶ナットで押し付け位置固定することを特徴とする（１）〜（３）の何れかに記載の扉用後付閉鎖防止アタッチメント。
（５）
コの字型枠の他方の板の下部に、前記ストッパー側の前記ガイドの端が下向に回転することを制限する係止部材を備えることを特徴とする（１）〜（４）の何れかに記載の扉用後付閉鎖防止アタッチメント。
（６）
コの字型枠の他方の板の下方に溝が穿設され、前記係止部材が、前記溝を左右スライド可能に取り付けられ、前記扉と逆向きに開閉する逆扉の場合には、前記コの字型枠を上下逆に前記逆扉に固定し、前記係止部材を前記扉の場合と反対端にスライドさせ、前記係止部材が、前記ストッパーと逆側の前記ガイドの端が上向きに回転することを制限することを特徴とする（５）に記載の扉用後付閉鎖防止アタッチメント。
（７）
前記保護材が、前記扉への当接側の一方の板の内側のみならず、端部で折り返され、前記一方の板の外側にも貼付される一枚の弾性体であることを特徴とする（１）〜（６）の何れかに記載の扉用後付閉鎖防止アタッチメント。
（８）
前記戸あたりに磁石が埋設され、枠の当接部に磁石が埋設され、前記戸あたりと前記当接部が磁着して、扉の開口度合いを維持することを特徴とする（１）〜（７）の何れかに記載の扉用後付閉鎖防止アタッチメント。
（９）
前記プレートが、伸縮自在で、前記扉の開口度合いを調節可能としたことを特徴とする（１）〜（８）の何れかに記載の扉用後付閉鎖防止アタッチメント。
（１０）
扉の一方の面に当接する保護材を一方の板の内側に備え、前記扉に着脱可能に嵌るコの字型枠と、
前記コの字型枠の他方の板に回転可能に係止されるガイドと、
前記ガイドを位置固定する固定具と、
前記ガイドの端部に回動可能に取り付けられるとともに留具で固定されるプレート、及び前記プレート側面で枠に当接する部分に保護部材を備えるストッパーと、
からなり、
引き戸に嵌められ、前記保護部材が前記引き戸の枠に当接して、前記引き戸の完全閉鎖を防止することを特徴とする扉用後付閉鎖防止アタッチメント。
（１１）
扉の一方の面に当接する保護材を一方の板の内側に備え、前記扉に着脱可能に嵌るコの字型枠と、
前記コの字型枠の他方の板に回転可能に係止されるガイドと、
前記ガイドを位置固定する固定具と、
前記ガイドの端部に回動可能に取り付けられるとともに留具で固定されるプレート、及び端部に枠側面の当接部に当接する戸あたりを備え、前記扉の完全閉鎖を防ぎ開口させるストッパーと、
からなり、
さらに、前記プレート側面で枠に当接する部分に保護材を備え、引き戸に嵌められ、前記保護部材が前記引き戸の枠に当接して、前記引き戸の完全閉鎖をも防止することを特徴とする扉用後付閉鎖防止アタッチメント。
とした。
【発明の効果】
【０００７】
本発明は、上記構成であるので、急激な扉の閉鎖動作、例えば、人の誤操作、強風による意図しない閉鎖動作で、枠と扉の間に指を挟み、怪我、切断などを防止する。また、少し扉を開けた状態を維持し、ペットの自由往来を可能にすることができ、アームの長さを調節するだけで、開放度合いを調節することができる。
【図面の簡単な説明】
【０００８】
【図１】本発明である扉用後付閉鎖防止アタッチメントをドアに装着したときの正面斜視図である。
【図２】本発明である扉用後付閉鎖防止アタッチメントのドアに装着したときの背面斜視図である。
【図３】本発明である扉用後付閉鎖防止アタッチメントの解除手順を説明する斜視図である。
【図４】本発明である扉用後付閉鎖防止アタッチメントを作用させないときの斜視図である。
【図５】本発明である扉用後付閉鎖防止アタッチメントの逆開閉式ドアでの使用方法の説明図である。
【図６】本発明である扉用後付閉鎖防止アタッチメントの逆開閉式ドアでの使用方法の説明図である。
【発明を実施するための形態】
【０００９】
以下、添付図面に基づき、本発明の実施の形態について詳細に説明する。ただし、本発明はそれら実施形態に限定されるものではない。
【実施例１】
【００１０】
本発明である扉用後付閉鎖防止アタッチメント１は、図１−６に示すように、コの字型枠２と、ガイド３と、固定具４と、ストッパー５とからなる。
【００１１】
コの字型枠２は、金属板をコの字型に屈折させたもの、樹脂をコの字型に成形したもので、平行する２枚の板の一方の端部が中板で接続され、一方及び他方の２枚の板間にドア１０を挟み、ドア１０の一方の面に当接する保護材２ａを一方の板の内側に備え、ドア１０に着脱可能に嵌る。
【００１２】
なお、保護材２ａは、ドア１０への当接側の一方の板の内側のみならず、端部で折り返され、一方の板の外側にも貼付される一枚の弾性体とすると、ドア１０に装着される際、ドア１０に誤ってあたりドア１０を傷つけることがない。弾性体としては、ゴム、シリコン、スポンジなどが例示できる。
【００１３】
また、他方の板には、ネジ穴２ｂが穿設され、後述の固定具４のネジ軸４ｃが螺合し、固定具４でコの字型枠２をドア１０に着脱可能に固定する。
【００１４】
さらに、後述のガイド３を位置決めするため、コの字型枠２の他方の板の下部に、ストッパー５側のガイド３の端が下向に回転することを制限する係止部材２ｄを備える。加えて、コの字型枠２の他方の板の下方に溝２ｃが穿設され、係止部材２ｄが、溝２ｃを左右スライド可能に取り付けられ、ドア１０と逆向きに開閉する逆ドア１０ａの場合（図５、６）には、コの字型枠２を上下逆に逆ドア１０ａに固定し、係止部材２ｄを逆ドア１０ａの場合と反対端にスライドさせ、係止部材２ｄが、ストッパー５と逆側のガイド３の端が上向きに回転することを制限する（図５）。
【００１５】
ガイド３は、Ｌ字型で一方の面が一部切欠きとなり、切欠きに固定具４が位置する本体３ａと、本体３ａの一方の面（図１平面）に穿設された線状の開口部３ｄと、他方に面（図１垂下）に穿設されたネジ穴３ｂとからなり、コの字型枠２の他方の板のネジ穴２ｂにネジ穴３ｂを通し、固定具４のネジ軸４ｃで回転可能に係止される。開口部３ｄでストッパー５が左右にスライドする。
【００１６】
固定具４は、コの字型枠の他方の板に穿設されたネジ穴２ｂに螺合するネジ軸４ｃと、ネジ軸４ｃの端部に位置するドア１０に接触する当接部材４ｂと、ネジ軸４ｃの他端にネジ軸４ｃを回転させるために把持するツマミ４ａと、ネジ軸４ｃに螺合する蝶ナット４ｄとからなり、コの字型枠２をドア１０に位置固定させるとともに、ガイド３をコの字型枠２に蝶ナット４ｄで押し付け位置固定する。
【００１７】
ストッパー５は、ガイド３の端部に回動可能に取り付けられるとともに、留具５ｃで固定されるプレート５ａと、端部にドア１０の枠１３側面の当接部に当接する戸あたり５ｂとからなり、ドア１０の完全閉鎖を防ぎ、開口を維持させる。
【００１８】
留具５ｃが開口部３ｄに挿通するとともに開口部３ｄ内を位置移動させることが可能で、留具５ｃをスライドさせることで、ストッパー５が留具５ｃとともにスライド可能である。
【００１９】
ストッパー５の不使用時（図４）には、ストッパー５を回転させつつ、開口部３ｄをスライドさせ、戸あたり５ｂが固定具４側に位置させ、さらにガイド３を回転させ、枠１３の側面の当接部に当たらないよう、ストッパー５が退避可能である。これにより、ドア１０は、枠１３に嵌り、ドア１０が開放しているときも、通行の邪魔にならない。
【００２０】
なお、プレート５ａを、伸縮自在とすることで、ドア１０の開口度合いを調節することができる。
【００２１】
また、戸あたり５ｂに磁石が埋設され、枠１３の当接部に磁石が埋設されることで、戸あたり５ｂと枠１３の当接部が磁着して、ドア１０の開口度合いを維持することができる。
【００２２】
本発明である扉用後付閉鎖防止アタッチメント１を逆向きに開口する逆ドア１０ａに装着するときは、図５、６に示すように、コの字型枠２を上下反転して、逆ドア１０ａに取り付け、溝２ｃにスライド可能に設けられた突起である係止部材２ｄを、逆方向にスライドさせ、蝶ナット４ｄでガイド３をコの字型枠２に押しつけるとともに、コの字型枠２を逆ドア１０ａに固定する。
【００２３】
逆ドア１０ａでも、ストッパー５を使用しないときは、図６に示すように、蝶ナット４ｄ、留具５ｃをゆるめ、ストッパー５を回転させつつ、開口部３ｄをスライドさせ、さらにガイド３を回転させた上で蝶ナット４ｄを締め付ければ、ストッパー５を枠１３の当接部に当接しないように退避させることができる。これにより、逆ドア１０ａは、枠１３に嵌り、逆ドア１０ａが開放しているときも、通行の邪魔にならない。
【００２４】
このように、スライドする係止部材２ｄを備えることで、本発明である扉用後付閉鎖防止アタッチメント１は、逆ドア１０ａでも、ツマミ４ａをドア１０ａの外側（室外）に位置させ、室内の景観を損ねることなく、使用することができる。
【００２５】
勿論、ツマミ４ａを室内側に位置させるのであれば、コの字型枠２を上下反転することなく、係止部材２ｄをスライドさせることなく、或いはスライドしない係止部材２ｄであっても、図１において、ストッパー５を１８０°向きを反転させた状態で、戸あたり５ｂを枠１３の当接部に向けることで、図５に示す向きでなくとも逆ドア１０ａに使用できる。
【実施例２】
【００２６】
次に、引き戸に対して用いる扉用後付閉鎖防止アタッチメントについて説明する。
【００２７】
引き戸用の扉用後付閉鎖防止アタッチメントは、引き戸の一方の面に当接する保護材２ａを一方の板の内側に備え、引き戸に着脱可能に嵌るコの字型枠２と、コの字型枠２の他方の板に回転可能に係止されるガイド３と、ガイド３を位置固定する固定具４と、ガイド３の端部に回動可能に取り付けられるとともに留具５ｃで固定されるプレート５ａ、及びプレート５ａ側面で枠１３に当接する部分に保護部材を備えるストッパーと、からなり、引き戸に嵌められ、保護部材が引き戸の枠１３に当接して、引き戸の完全閉鎖を防止する。
【００２８】
さらに、扉用後付閉鎖防止アタッチメントは、プレート５ａ側面で枠１３に当接する部分に保護部材を備えるストッパーの端部に戸あたり５ｂを備えることで、すなわち、ストッパー５の側面にプレート５ａ側面で枠１３に当接する部分に保護部材を備えることで、開閉式のドア１０、引き戸何れにも使用することができる。
【符号の説明】
【００２９】
１      扉用後付閉鎖防止アタッチメント
２      コの字型枠
２ａ    保護材
２ｂ    ネジ穴
２ｃ    溝
２ｄ    係止部材
３      ガイド
３ａ    本体
３ｂ    ネジ穴
３ｄ    開口部
４      固定具
４ａ    ツマミ
４ｂ    当接部材
４ｃ    ネジ軸
４ｄ    蝶ナット
５      ストッパー
５ａ    プレート
５ｂ    戸あたり
５ｃ    留具
１０    ドア
１０ａ  逆ドア
１１    ハンドル
１１ａ  ハンドル
１１ｂ  ラッチボルト
１２    カギ穴
１２ａ  サムターン
１２ｂ  デッドボルト
１３    枠
１３ａ  受け部
１３ｂ  受け部
【図１】
2016098585.tif 000003
【図２】
2016098585.tif 000004
【図３】
2016098585.tif 000005
【図４】
2016098585.tif 000006
【図５】
2016098585.tif 000007
【図６】
2016098585.tif 000008